(57)【特許請求の範囲】
【請求項１】
床から上方に離間して設けられるカウンターと、
前記カウンターの下側に設けられるキャビネットと、を備え、
前記カウンターと床との間に、平面視において前記キャビネットと並ぶように設けられる脚入れ空間を有する、引出し付き化粧台であって、
前記キャビネットは、内部に引出し収納空間を有するキャビネット本体と、前記引出し収納空間の前開口を通して前方に引出し可能にかつ後方に押込み可能に収納される引出しと、を有し、
前記引出しは、平面視において前記脚入れ空間より遠い側に位置する深引出しと、平面視において前記脚入れ空間に近い側に位置する、前記深引出しの上下寸法よりも短い上下寸法を有する浅引出しと、を有し、
前記深引出しに、前記引出し収納空間の前記前開口を覆う前板が設けられる
ことを特徴とする引出し付き化粧台。
【請求項２】
前記深引出しは、深引出し内空間を前後に仕切る仕切りを有する
ことを特徴とする請求項１記載の引出し付き化粧台。
【請求項３】
前記深引出しが有する前記脚入れ空間に近い側の側板の上端は、前記深引出しが有する前記脚入れ空間から遠い側の側板の上端よりも低い
ことを特徴とする請求項１または２記載の引出し付き化粧台。
【請求項４】
前記浅引出しが、上下に複数設けられる
ことを特徴とする請求項１ないし３のいずれか一項に記載の引出し付き化粧台。
【発明の詳細な説明】
【技術分野】
【０００１】
本発明は、引出し付き化粧台に関するものである。
【背景技術】
【０００２】
特許文献１には、引出し付き化粧台が開示されている。特許文献１記載の引出し付き化粧台は、カウンターと、カウンターの下側に設けられるキャビネットとを備えている。キャビネットは、複数の引出しを備えている。
【先行技術文献】
【特許文献】
【０００３】
【特許文献１】特開平９−２８５３４６号公報
【発明の概要】
【発明が解決しようとする課題】
【０００４】
特許文献１に記載された引出し付き化粧台にあっては、使用者は、各引出しを個別に引き出さなければ、収納物を確認したり取り出したりすることができず、複数の引出しに収納されている収納物の確認や取り出しがしにくいものであった。
【０００５】
本発明の目的は、複数の引出しに収納されている収納物の確認や取り出しがしやすい引出し付き化粧台を提供することである。
【課題を解決するための手段】
【０００６】
本発明に係る一態様の引出し付き化粧台は、床から上方に離間して設けられるカウンターと、前記カウンターの下側に設けられるキャビネットと、を備える。前記カウンターと床との間に、平面視において前記キャビネットと並ぶように設けられる脚入れ空間を有する。前記キャビネットは、内部に引出し収納空間を有する、キャビネット本体と、前記引出し収納空間の前開口を通して前方に引出し可能にかつ後方に押込み可能に収納される引出しと、を有する。前記引出しは、平面視において前記脚入れ空間より遠い側に位置する深引出しと、平面視において前記脚入れ空間に近い側に位置する、前記深引出しの上下寸法よりも短い上下寸法を有する浅引出しと、を有する。前記深引出しに、前記引出し収納空間の前記前開口を覆う前板が設けられることを特徴とする。
【発明の効果】
【０００７】
本発明の引出し付き化粧台によれば、複数の引出しに収納されている収納物の確認や取り出しがしやすい。
【図面の簡単な説明】
【０００８】
【図１】図１は、本発明に係る一実施形態の引出し付き化粧台の斜視図である。
【図２】図２Ａは、同上の引出し付き化粧台におけるキャビネット本体の斜視図である。図２Ｂは、同上のキャビネット本体の正面図である。
【図３】図３は、同上の引出し付き化粧台の平面図である。
【図４】図４は、同上の引出し付き化粧台における深引出しの斜視図である。
【図５】図５は、同上の引出し付き化粧台における浅引出しの斜視図である。
【図６】図６は、同上の深引出しを引き出した状態の要部斜視図である。
【発明を実施するための形態】
【０００９】
本発明は、引出し付き化粧台に関し、詳しくは、カウンターと、カウンターの下側に設けられるキャビネットと、キャビネットに収納される引出しと、を備える引出し付き化粧台に関するものである。
【００１０】
本実施形態の引出し付き化粧台について、添付図面に基いて説明する。
【００１１】
図１に示すように、引出し付き化粧台１は、カウンター２と、カウンター２の下側に設けられる、キャビネット本体３０および引出し３１を有するキャビネット３と、を備える。
【００１２】
カウンター２は、図１に示すように、左右に長い平面視矩形状をした木質板で構成される。ここで、前後左右について定義する。引出し付き化粧台１は、設計上、使用者の位置が決められている。図１等に示すように、引出し３１が引き出される方向を使用者が位置する前方とするとともにその反対を後方（背方）とし、左方および右方をそれぞれ、前方より後方を見た時の左方および右方とする。
【００１３】
図１に示すように、カウンター２は、その上面が、引出し付き化粧台１が設置される床から所定の高さに位置するように設けられる。本実施形態では、カウンター２の上面に、鏡１１が固定されている。
【００１４】
カウンター２の下面は、床から上方に離間している。カウンター２の下面と床との間に、キャビネット３と脚入れ空間１０とが平面視において並ぶように設けられる。
【００１５】
キャビネット本体３０は、図２Ａに示すように、少なくとも左右の側板３２を有するものである。本実施形態では、キャビネット本体３０は、左右の側板３２に加えて、背板３３、底板３４および上板３５を備え、前側の端部に前開口３６を有する矩形箱状をしたものである。
【００１６】
キャビネット本体３０は、図３に示すように、平面視においてカウンター２と重なるように、カウンター２の一部の下方に設けられる。キャビネット本体３０は、カウンター２の左側の端部を占有するようにカウンター２の下側に設けられている。キャビネット本体３０の奥行き寸法（前後方向の長さ）は、カウンター２の奥行き寸法とほぼ同じか若干短く形成されている。キャビネット本体３０の幅寸法（左右方向の長さ）は、カウンター２の幅寸法よりも短く形成されている。キャビネット本体３０には、図１、図２に示すように、引出し３１が前開口３６を通して出入れ可能に収納される。
【００１７】
キャビネット本体３０は、カウンター２の左側の端部近傍を支持している。キャビネット本体３０の上端部は、カウンター２に固定される。カウンター２の右側の端部には、図１、図３に示すように、カウンター２を支持する脚部１２が設けられる。本実施形態では、キャビネット本体３０および脚部１２により、カウンター２の荷重を受けている。
【００１８】
脚部１２は、本実施形態では図１に示すように、側面視において矩形状をした板である。脚部１２の奥行き寸法は、カウンター２の奥行き寸法とほぼ同じか若干短く形成されている。脚部１２の幅寸法は、カウンター２の幅寸法よりも短く形成されている。脚部１２の上端部は、カウンター２に固定される。カウンター２、キャビネット本体３０および脚部１２は、一体となっている。
【００１９】
図１、図３に示すように、カウンター２の下側には、キャビネット本体３０に隣接して、脚入れ空間１０が設けられている。
【００２０】
脚入れ空間１０は、本実施形態では、カウンター２の下側でかつ床の上側において、キャビネット本体３０の右側でかつ脚部１２の左側に形成される空間である。脚入れ空間１０は、標準的なサイズの日本人の成人女性が椅子に座った状態で脚を入れられるように設計される。
【００２１】
キャビネット本体３０には、図４に示すような引出し３１が前開口３６を通して前方に引出し可能にかつ後方に押込み可能に収納される。
【００２２】
引出し３１として、上下寸法が長い深引出し４と、上下寸法が短い浅引出し５の少なくとも二種類が存在する。
【００２３】
ここで、引出し３１の寸法について説明する。引出し３１の寸法とは、引出し３１およびこの引出し３１に収納される収納物（ただし後述する前板４１を除く）が、キャビネット本体３０内の引出し収納空間３７（図２Ｂ参照）において占有する空間の寸法をいう。引出し３１を構成する部材およびその収納物が引出し収納空間３７において占有する空間は、設計上、決められており、これを占有空間とする。さらにいうと、キャビネット３が複数の引出し３１を有する場合、複数の引出し３１がキャビネット本体３０内に収納されたときに、各引出し３１およびその収納物が互いに干渉しないように、占有空間が決められる。
【００２４】
深引出し４および浅引出し５の占有空間３８、３９は、その上下寸法において、深引出し４の方が浅引出し５よりも長くなるように決められる。本実施形態では、図２Ｂに示すように、深引出し４の占有空間３８の上下寸法は、引出し収納空間３７の上下寸法と同じかそれより若干（２ｍｍ〜１ｃｍ程度）短い程度に決められており、例えば３０ｃｍ、４０ｃｍ、５０ｃｍ等である。また、浅引出し５の占有空間３９の上下寸法は、引出し収納空間３７の上下寸法の半分程度に決められており、例えば１５ｃｍ、２０ｃｍ、２５ｃｍ等である。各引出には、上下寸法に応じて、前板、側板、背板、これらにかわる落下防止部等が設けられる。
【００２５】
本実施形態では、図２Ｂに示すように、深引出し４の占有空間３８および浅引出し５の占有空間３９は、引出し収納空間３７内において左右に並ぶものである。深引出し４の占有空間３８の左右寸法は、引出し収納空間３７の左右寸法の半分程度に決められており、例えば２０ｃｍ、３０ｃｍ、４０ｃｍ等である。また、浅引出し５の占有空間３９の左右寸法は、引出し収納空間３７の左右寸法の半分程度に決められている。浅引出し５の占有空間３９は、上下に二つ等しく並んでいる。
【００２６】
深引出し４の占有空間３８および浅引出し５の占有空間３９は、浅引出し５の占有空間３９が脚入れ空間１０に近い側となるように配置される。すなわち、本実施形態では、図１に示すように、キャビネット本体３０の右側に脚入れ空間１０が位置している。このため、図２Ｂに示すように、浅引出し５の占有空間３９が右側に位置し、深引出し４の占有空間３８が左側に位置する。
【００２７】
深引出し４は、図４に示すように、前板４１、底板４２、側板４３、４５および背板４４を有する。
【００２８】
前板４１は、図１に示すように、引出し収納空間３７の前方を全面にわたって覆うものである。前板４１の正面視形状は、キャビネット本体３０の正面視における外郭形状とほぼ同じ矩形状をしており、大きさも引出し収納空間３７の外郭形状とほぼ同じである。
【００２９】
底板４２は、図４に示すように、平面視矩形状をした板である。底板４２の左右寸法は、深引出し４の占有空間３８の左右寸法と同じかそれより若干（２ｍｍ〜１ｃｍ程度）短い程度に決められる。底板４２の奥行き寸法は、深引出し４の占有空間３８の奥行き寸法と同じかそれより若干（２ｍｍ〜１ｃｍ程度）短い程度に決められる。
【００３０】
脚入れ空間１０から遠い側の側板４３は、図４に示すように、側面視矩形状をした板である。この側板４３は、深引出し４の左側の端部に設けられて、こちら側から深引出し４内に収納される収納物の収納空間（深引出し４内空間）を覆うものである。側板４３の奥行き寸法は、深引出し４の占有空間３８の奥行き寸法と同じかそれより若干（２ｍｍ〜１ｃｍ程度）短い程度に決められる。本実施形態では、側板４３の奥行き寸法は、底板４２の奥行き寸法と同じである。
【００３１】
側板４３の上下寸法は、深引出し４の占有空間３８の上下寸法と同じかそれより若干（２ｍｍ〜１ｃｍ程度）短い程度に決められる。
【００３２】
背板４４は、図４に示すように、正面視矩形状をした板である。背板４４は、深引出し４の後側の端部に設けられて、深引出し４内空間の後方を覆うものである。背板４４の左右寸法は、深引出し４の占有空間３８の左右寸法と同じかそれより若干（２ｍｍ〜１ｃｍ程度）短い程度に決められる。背板４４の上下寸法は、深引出し４の占有空間３８の上下寸法と同じかそれより若干（２ｍｍ〜１ｃｍ程度）短い程度に決められる。本実施形態では、背板４４の上下寸法は、側板４３の上下寸法と同じで、背板４４の正面視形状は、深引出し４の占有空間３８の正面視形状とほぼ同じ矩形状をしている。
【００３３】
脚入れ空間１０に近い側の側板４５は、図４に示すように、側面視矩形状をした板である。この側板４５は、深引出し４の右側の端部に設けられて、こちら側から深引出し４内空間を覆うものである。本実施形態では、この側板４５として、上側の側板４５１と下側の側板４５２の二つが間隔をあけて設けられている。本実施形態では、上側の側板４５１の上下寸法は、下側の側板４５２の上下寸法よりも長いが、特に限定されない。上側の側板４５１の上端は、脚入れ空間１０から遠い側の側板４３の上端よりも低い位置に位置している。上側の側板４５１および下側の側板４５２の奥行き寸法は、深引出し４の占有空間３８の奥行き寸法と同じかそれより若干（２ｍｍ〜１ｃｍ程度）短い程度に決められる。
【００３４】
本実施形態では、深引出し４内空間に収納される収納物として、ドライヤー、ヘアーアイロン等の長尺物が想定されている。このような長尺の収納物が、長手方向を上下に向けて深引出し４に入れられる。使用者は、通常は脚入れ空間１０側に位置しているため、こちら側に位置している側板４５の上端は、反対側の側板４３の上端よりも低くすることにより、収納物を深引出し４内空間に入れやすくなる。
【００３５】
本実施形態では、深引出し４は、図４に示すように、仕切り４６を有する。仕切り４６は、深引出し４内空間を前後に仕切る板状をしたものである。仕切り４６の上端は、側板４３の上端よりも低い位置に位置しており、上側の側板４５１の上端と同じ高さに位置している。これにより、深引出し４内空間が仕切られて、収納物の出入れがしやすくなる。
【００３６】
浅引出し５は、図５に示すように、底板５１、前板５２、側板５３および背板５４を有する。
【００３７】
底板５１は、図５に示すように、平面視矩形状をした板である。底板５１の左右寸法は、浅引出し５の占有空間３９の左右寸法と同じかそれより若干（２ｍｍ〜１ｃｍ程度）短い程度に決められる。底板５１の奥行き寸法は、浅引出し５の占有空間３９の奥行き寸法と同じかそれより若干（２ｍｍ〜１ｃｍ程度）短い程度に決められる。
【００３８】
前板５２は、図５に示すように、本実施形態では、正面視矩形状をした板である。前板５２は、浅引出し５の前側の端部に設けられて、浅引出し５内に収納される収納物の収納空間（浅引出し５内空間）の前方を覆うものである。前板５２の左右寸法は、浅引出し５の占有空間３９の左右寸法と同じかそれより若干（２ｍｍ〜１ｃｍ程度）短い程度に決められる。前板５２の上下寸法は、３ｃｍ〜１０ｃｍ程度に決められる。前板５２の正面視形状は、浅引出し５の占有空間３９の正面視形状とほぼ同じ矩形状をしている。
【００３９】
側板５３は、図５に示すように、側面視矩形状をした板である。この側板５３は、浅引出し５の左右両端部に設けられて、浅引出し５内空間の左方および右方を覆うものである。側板５３の奥行き寸法は、浅引出し５の占有空間３９の奥行き寸法と同じかそれより若干（２ｍｍ〜１ｃｍ程度）短い程度に決められる。本実施形態では、側板５３の奥行き寸法は、底板５１の奥行き寸法と同じである。側板５３の上下寸法は、３ｃｍ〜１０ｃｍ程度に決められる。
【００４０】
背板５４は、図５に示すように、正面視矩形状をした板である。背板５４は、浅引出し５の後側の端部に設けられて、浅引出し５内空間の後方を覆うものである。背板５４の左右寸法は、浅引出し５の占有空間３９の左右寸法と同じかそれより若干（２ｍｍ〜１ｃｍ程度）短い程度に決められる。本実施形態では、背板５４の左右寸法は、底板５１の左右寸法と同じである。背板５４の上下寸法は、３ｃｍ〜１０ｃｍ程度に決められる。
【００４１】
本実施形態では、浅引出し５内空間に収納される収納物として、マニキュア、口紅等（例えば色違いの複数のマニキュア、口紅等）、主にドライヤーよりも小さな収納物が想定されている。
【００４２】
本実施形態では、このような浅引出し５が上下に複数設けられているため、浅引出し５の占有空間３９に多くの収納物が収納されやすくなる。
【００４３】
本実施形態においては、深引出し４を引き出すだけで、引出し収納空間３７の前方を覆う前板４１が引き出されて、引出し収納空間３７が開放される。これにより、使用者は、深引出し４のみならず浅引出し５も見やすくなって、収納物を確認したり取り出したりしやすくなる。
【００４４】
以下、本実施形態における変形例について説明する。
【００４５】
カウンター２の大きさ、すなわち、幅寸法、奥行き寸法は特に限定されない。カウンター２は、本実施形態では平面視矩形状（長方形状または正方形状）をしているが、他の形状であってもよく、特に限定されない。カウンター２の厚みは特に限定されず、また、カウンター２の厚みが均一であってもよいし、不均一であってもよい。
【００４６】
カウンター２の材質は、無垢の木材、樹脂（人造大理石を含む）、天然大理石、金属、ほうろう等、特に限定されない。
【００４７】
カウンター２の上面に設けられる鏡１１は、その大きさ（幅寸法、上下寸法、厚み）正面視における形状、枚数等は限定されない。また、鏡１１がカウンター２に対して可動となるか否かは限定されない。
【００４８】
鏡１１は、カウンター２の上面に、ねじあるいは凹凸の嵌め合いによって着脱可能に固定されてもよい。鏡１１のカウンター２への固定方法は、ねじあるいは凹凸の嵌め合いに限定されず、また、着脱可能に構成されなくてもよい。また、引出し付き化粧台１が鏡１１を備えなくてもよい。
【００４９】
キャビネット本体３０は、背板３３、底板３４および上板３５を備えなくてもよく、このような場合には、左右の側板３２の前端縁間が前開口３６となる。キャビネット本体３０は、前開口３６の一部を閉塞する、側板３２に固定される前板（引出し３１の前板４１とは別）を備えてもよい。
【００５０】
キャビネット本体３０の大きさ、すなわち、幅寸法、奥行き寸法、上下寸法は特に限定されない。キャビネット本体３０の奥行き寸法が、カウンター２の奥行き寸法よりも長くてもよく、特に限定されない。平面視において、キャビネット本体３０の一部がカウンター２からはみ出してもよく、特に限定されない。キャビネット本体３０は、本実施形態では平面視矩形状をしているが、他の形状であってもよく、特に限定されない。
【００５１】
キャビネット本体３０の材質は、無垢の木材、木質材、樹脂、金属等、特に限定されない。
【００５２】
キャビネット本体３０は、カウンター２に固定されるが、カウンター２に対して着脱可能に構成されてもよい。すなわち、ねじあるいは凹凸の嵌め合いによって、キャビネット本体３０がカウンター２に対して着脱可能に固定されてもよい。
【００５３】
キャビネット本体３０は、カウンター２を支持するものでなくてもよく、この場合には、カウンター２を支持する、キャビネット本体３０とは別の脚部等からなる支持部が設けられる。
【００５４】
脚部１２の大きさ、すなわち、奥行き寸法、幅寸法は特に限定されない。脚部１２の奥行き寸法が、カウンター２の奥行き寸法よりも長くてもよく、特に限定されない。平面視において、脚部１２の一部がカウンター２からはみ出してもよい。脚部１２は、本実施形態では側面視矩形状の板であるが、柱状等の他の形状であってもよく、特に限定されない。
【００５５】
脚部１２の材質は、無垢の木材、木質材、樹脂、金属等、特に限定されない。
【００５６】
脚部１２は、カウンター２に固定されるが、着脱可能に構成されてもよい。すなわち、ねじあるいは凹凸の嵌め合いによって、脚部１２がカウンター２に対して着脱可能に固定されてもよい。
【００５７】
脚部１２のかわりに、別のキャビネットが設けられてもよい。この別のキャビネットは、キャビネット３と同様のものでもよいし、異なるものでもよい。
【００５８】
脚入れ空間１０の大きさ（幅寸法、上下寸法、奥行き寸法）、形状は特に限定されない。また、脚入れ空間１０の大きさの設計にあたり、使用者として想定される者は、本実施形態では標準的なサイズの日本人の成人女性であるが、使用者として想定される者の性別、国籍、年齢、標準的か否か等は特に限定されない。
【００５９】
脚入れ空間１０に収納可能な椅子が、引出し付き化粧台１（一体となっているカウンター２、キャビネット本体３０および脚部１２）とセットとして組み合わされて、椅子付きの化粧台としてもよい。
【００６０】
引出し収納空間３７、深引出し４の占有空間３８、浅引出し５の占有空間３９の大きさは、特に限定されない。
【００６１】
深引出し４の占有空間３８の上下寸法は、引出し収納空間３７の上下寸法より５ｃｍ以上、あるいは１０ｃｍ以上短く決められてもよく、特に限定されない。浅引出し５の占有空間３９の上下寸法は、引出し収納空間３７の上下寸法の半分よりも長く決められてもよく、特に限定されない。要は、占有空間３８、３９の上下寸法において、深引出し４の方が浅引出し５よりも長くなるように決められていればよい。
【００６２】
深引出し４の占有空間３８の左右寸法は、引出し収納空間３７の左右寸法の半分より長く決められてもよいし、引出し収納空間３７の左右寸法の半分より短く決められてもよく、特に限定されない。また、浅引出し５の占有空間３９の左右寸法も同様に、引出し収納空間３７の左右寸法の半分より長く決められてもよいし、引出し収納空間３７の左右寸法の半分より短く決められてもよく、特に限定されない。要は、深引出し４の占有空間３８および浅引出し５の占有空間３９は、その左右寸法がいずれも引出し収納空間３７の左右寸法より短く、深引出し４の占有空間３８および浅引出し５の占有空間３９が、引出し収納空間３７内において左右に並べばよい。
【００６３】
浅引出し５の占有空間３９が、上下に三つ以上並んでもよいし、一つのみ存在してもよい。
【００６４】
深引出し４および浅引出し５の材質は、無垢の木材、木質材、樹脂、金属等、特に限定されない。
【００６５】
前板４１の正面視形状は、キャビネット本体３０の正面視における外郭形状と異なる形状でもよく、正面視形状は限定されない。前板４１は、正面視において、深引出し４の占有空間３８および浅引出し５の占有空間３９を覆う（重なる）ものであればよい。なお、前板４１は、正面視において、深引出し４の占有空間３８および浅引出し５の占有空間３９を完全に覆わなくてもよく、深引出し４の占有空間３８および浅引出し５の占有空間３９の大部分（少なくとも半分以上）を覆えばよい。
【００６６】
底板４２の左右寸法は、深引出し４の占有空間３８の左右寸法よりも１ｃｍ以上短くてもよく、特に限定されない。底板４２の奥行き寸法は、深引出し４の占有空間３８の奥行き寸法よりも１ｃｍ以上短くてもよく、特に限定されない。
【００６７】
側板４３の奥行き寸法は、深引出し４の占有空間３８の奥行き寸法よりも１ｃｍ以上短くてもよく、特に限定されない。側板４３の上下寸法は、深引出し４の占有空間３８の上下寸法よりも１ｍ以上短くてもよく、特に限定されない。
【００６８】
背板４４の左右寸法は、深引出し４の占有空間３８の左右寸法よりも１ｃｍ以上短くてもよく、特に限定されない。背板４４の上下寸法は、深引出し４の占有空間３８の上下寸法よりも１ｃｍ以上短くてもよく、特に限定されない。
【００６９】
また、背板４４のかわりに、棒状をはじめ板状以外の形状をした、収納物の落下を防止する落下防止部が設けられてもよい。
【００７０】
上側の側板４５１および下側の側板４５２の上下寸法は、特に限定されない。また、側板４５の位置、数、複数ある場合の間隔等も特に限定されない。側板４５は、棒状をしたものでもよく、形状は特に限定されない。
【００７１】
上側の側板４５１および下側の側板４５２の奥行き寸法は、深引出し４の占有空間３８の奥行き寸法よりも１ｃｍ以上短くてもよく、特に限定されない。
【００７２】
また、脚入れ空間１０に近い側の側板４５のかわりに、棒状をはじめ板状以外の形状をした、収納物の落下を防止する落下防止部が設けられてもよい。
【００７３】
仕切り４６の位置、数（例えば二個、三個等）、仕切る方向（例えば前後、左右等）等は特に限定されない。また、仕切り４６の形状、大きさ、寸法は特に限定されない。
【００７４】
底板５１の左右寸法は、浅引出し５の占有空間３９の左右寸法よりも１ｃｍ以上短くてもよく、特に限定されない。底板５１の奥行き寸法は、浅引出し５の占有空間３９の奥行き寸法よりも１ｃｍ以上短くてもよく、特に限定されない。
【００７５】
前板５２の左右寸法は、浅引出し５の占有空間３９の左右寸法よりも１ｃｍ以上短くてもよく、特に限定されない。前板５２の上下寸法は、１０ｃｍ以上であってもよく、特に限定されない。また、前板５２のかわりに、棒状をはじめ板状以外の形状をした、収納物の落下を防止する落下防止部が設けられてもよい。
【００７６】
側板５３の奥行き寸法は、浅引出し５の占有空間３９の奥行き寸法よりも１ｃｍ以上短くてもよく、特に限定されない。側板５３の上下寸法は、１０ｃｍ以上であってもよく、特に限定されない。また、側板５３のかわりに、棒状をはじめ板状以外の形状をした、収納物の落下を防止する落下防止部が設けられてもよい。
【００７７】
背板５４の左右寸法は、浅引出し５の占有空間３９の左右寸法よりも１ｃｍ以上短くてもよく、特に限定されない。背板５４の上下寸法は、１０ｃｍ以上であってもよく、特に限定されない。また、背板５４のかわりに、棒状をはじめ板状以外の形状をした、収納物の落下を防止する落下防止部が設けられてもよい。
【００７８】
また、浅引出し５が仕切りを有してもよい。
【００７９】
このような浅引出し５は、上下に三個以上設けられてもよく、浅引出し５の数は限定されない。
【００８０】
本実施形態の左右は便宜上のものであり、限定されないのはいうまでもない。
【００８１】
実施形態と各変形例とで説明した構成は、適宜組み合わせて適用可能である。
【００８２】
以上述べた実施形態および変形例から明らかなように、本発明に係る第１の形態の引出し付き化粧台１は、床から上方に離間して設けられるカウンター２と、カウンター２の下側に設けられるキャビネット３と、を備える。カウンター２と床との間に、平面視においてキャビネット３と並ぶように設けられる脚入れ空間１０を有する。キャビネット３は、内部に引出し収納空間３７を有するキャビネット本体３０と、引出し収納空間３７の前開口３６を通して前方に引出し可能にかつ後方に押込み可能に収納される引出し３１と、を有する。引出し３１は、平面視において脚入れ空間１０より遠い側に位置する深引出し４と、平面視において脚入れ空間１０に近い側に位置する、深引出し４の上下寸法よりも短い上下寸法を有する浅引出し５と、を有する。深引出し４に、引出し収納空間３７の前開口３６を覆う前板４１が設けられる。
【００８３】
この第１の形態の引出し付き化粧台１によれば、深引出し４を引き出すだけで、引出し収納空間３７の前方を覆う前板４１が引き出されて、引出し収納空間３７が開放される。これにより、使用者は、深引出し４のみならず浅引出し５も見やすくなって、収納物を確認したり取り出したりしやすくなる。
【００８４】
本発明に係る第１の態様の引出し付き化粧台１は、以下の付加的な第２〜７の形態を有する。
【００８５】
本発明に係る第２の形態の引出し付き化粧台１では、第１の形態において、深引出し４は、深引出し４内空間を前後に仕切る仕切り４６を有する。
【００８６】
この第２の形態の引出し付き化粧台１によれば、収納物の出入れがしやすくなる。
【００８７】
本発明に係る第３の形態の引出し付き化粧台１では、第１または第２の形態において、深引出し４が有する脚入れ空間１０に近い側の側板４５の上端は、深引出し４が有する脚入れ空間１０から遠い側の側板４３の上端よりも低い。
【００８８】
この第３の形態の引出し付き化粧台１によれば、通常、脚入れ空間１０側に位置する使用者が、収納物を深引出し４内空間に入れやすい。
【００８９】
本発明に係る第４の形態の引出し付き化粧台１では、第１ないし第３のいずれか一つの形態において、浅引出し５が、上下に複数設けられる。
【００９０】
この第４の形態の引出し付き化粧台１によれば、浅引出し５の占有空間３９に多くの収納物が収納されやすくなる。
【符号の説明】
【００９１】
１    引出し付き化粧台
１０  脚入れ空間
２    カウンター
３    キャビネット
３０  キャビネット本体
３１  引出し
３６  前開口
３７  引出し収納空間
４    深引出し
４１  前板
４３  側板
４５  側板
４６  仕切り
５    浅引出し
【図１】
0006635299.tif 000002
【図２】
0006635299.tif 000003
【図３】
0006635299.tif 000004
【図４】
0006635299.tif 000005
【図５】
0006635299.tif 000006
【図６】
0006635299.tif 000007